(57)【要約】【課題】吸入パネルの開閉を正確に判断し、保護機能としての空気清浄機異常と誤検出することなく、ドアスイッチに連動して空気清浄機の運転停止をする。【解決手段】空気調和機の電子制御装置３において、吸入パネルがオープンした時、空気清浄機１の高圧電源ユニット２の電源電圧低下により高圧電源異常端子が異常検出した時には、一定時間経過後の吸入パネルオープン信号の状態をもとに判定する一定時間経過処理機能を設けることにより、電源電圧低下による保護機能としての空気清浄機異常でなく、吸入パネルオープンとして正確に判断する。【選択図】図１
2005299966.tif 000002
【特許請求の範囲】
【請求項１】
空気清浄機及び吸入パネルが取り付けられる空気調和機において、吸入パネルの開閉に連動して空気清浄機の高圧電源ユニットに電源を供給するドアスイッチが設けられ、空気調和機側と空気清浄機側との間には、制御端子と電源供給信号端子と高圧電源異常検出端子と接地端子により接続され、
空気調和機側において、制御端子は、空気調和機の空気清浄機運転出力端子に接続され、電源供給信号端子と高圧電源異常検出端子は、それぞれ制御素子を介して接続され、
また空気清浄機側において、制御端子は、高圧電源ユニットの駆動信号線に接続され、電源供給信号端子は、高圧電源ユニットの電源に接続されるとともに、空気調和機側から電源を供給する吸入パネルのドアスイッチを介し接続され、高圧電源異常検出端子は、高圧電源ユニットの異常信号線に接続され、
吸入パネルの開閉を検出する手段として、空気清浄機側において、空気清浄機運転出力端子の状態及び高圧電源異常検出端子の状態と、電源供給信号端子の状態との組み合わせにより検出することに加え、電源供給信号端子が異常検出していない状態にて高圧電源異常検出端子が異常検出した時には、一定時間経過後の電源供給信号端子の状態をもとに判定する一定時間経過処理機能を設けたことを特徴とする空気調和機。
【請求項２】
前記一定時間とは、高圧電源異常検出端子が異常検出した時の空気清浄機の電源電圧と空気清浄機が運転停止時の負荷の関係から算出される電源電圧の放電時間をもとに設定されたことを特徴とする請求項１に記載の空気調和機。
【請求項３】
前記一定時間経過処理を行っている間は、空気清浄機運転出力端子から停止信号を出力し、空気清浄機を停止させることを特徴とする請求項１または２に記載の空気調和機。
【請求項４】
前記一定時間経過処理において、電源供給信号端子の状態を確認すると同時に高圧電源異常検出端子の状態を確認することを特徴とした請求項１〜３のいずれか１項に記載の空気調和機。
【発明の詳細な説明】
【技術分野】
【０００１】
本発明は電気集塵方式の空気清浄機を搭載した空気調和機に関するものである。
【背景技術】
【０００２】
従来、この種の空気清浄機を搭載した空気調和機は、吸入パネルの開閉検知回路や、空気清浄機の高圧電源ユニットでの異常を検知する検知回路が空気調和機の制御回路部に設けられている。（特許文献１参照）。図３に特許文献１に記載された従来の空気調和機の構成ブロック図、図４に空気調和機の吸入パネルが開いた時のタイミングチャートを示す。
【０００３】
空気清浄機１内の高圧電源ユニット２は、電子制御装置３内の電源部４よりドアスイッチ５を経由して電源１０１が供給される。供給された電源１０１は、吸入パネルの開閉をドアスイッチ５によりオン／オフし、電源供給信号６として、高圧電源ユニット２側から電子制御装置３に入り、パネルオープン検出素子７を介して吸入パネルオープン検知信号８として、制御部９へ入力されるように構成されている。空気清浄機１が運転状態で、吸入パネルオープン１０２すると、ドアスイッチ５がオフするため、電源供給信号６が、高圧電源電圧１０１から低下し、吸入パネルオープン検知信号８のオン信号が制御部９に入力され、制御部９では吸入パネルが開いていると判断する。
【特許文献１】特開平６−７４４８１号公報
【発明の開示】
【発明が解決しようとする課題】
【０００４】
しかしながら、前記従来の構成では、図４において吸入パネルオープン１０２すると、空気清浄機１の高圧電源ユニット２の電源が遮断され、電源電圧１０１が急激に低下する。高圧電源ユニット２の高圧電源電圧１０１が十分低下し、電源供給信号６が吸入パネルオープン電圧１０３に達した時、電子制御装置３内のパネルオープン検出素子７が電圧低下を検知し、制御部９に吸入パネルオープン信号８が入力され、制御部９では、吸入パネルオープンであると判断し、空気清浄機運転信号１０をオフし、空気清浄機１を停止させる。ところが、通常、高圧電源ユニット２は、保護機能が設けられており、吸入パネルオープン１０２が生じることにより高圧電源ユニット２の電源電圧１０１が低下する。電源供給信号６が電圧１０４になると、空気清浄機１を保護する機能が働き、空気清浄機１は、電子制御装置３の制御部９に空清電源電圧異常検出素子１１を介して空気清浄機異常信号１２を送り、空気清浄機運転信号１０をオフし、高圧電源ユニット２の動作を停止させる。
【０００５】
高圧電源ユニット２の動作が停止すると、高圧電源ユニット２に蓄えられた電荷の放電経路が遮断されてしまうため、電源供給信号６は、電圧１０４を境界として、急激に電圧低下するモードからゆっくりと電圧低下するモードに遷移する。吸入パネルオープン信号８の制御部９への入力は、異常信号１２より遅れ、本来、吸入パネルオープンによる空気清浄機停止であるにも関わらず、空気清浄機異常による停止として誤検知してしまう。この場合、吸入パネルが開いている時は空気清浄機運転信号１０をオフ、閉じている時はオン、空気清浄機異常を検知した時は吸入パネルの開閉に関わらず空気清浄機運転信号１０をオフ、という仕様に対しては、吸入パネルオープンを空気清浄機異常として誤検知した時に吸入パネルを閉じても空気清浄機運転信号１０がオンに戻らない、という課題を有していた。
【０００６】
本発明は、前記従来の課題を解決するもので、空気清浄機の吸入パネルをオープンした
際に、電子制御装置の制御部は、電源電圧低下による保護機能からの空気清浄機異常でなく、吸入パネルオープンとして判断できる空気調和機を提供することを目的とする。
【課題を解決するための手段】
【０００７】
前記従来の課題を解決するために、本発明の空気調和機は、高圧電源ユニットの電源電圧低下により異常信号を検知した時から、一定時間経過後に吸入パネルオープン信号の状態を確認する機能を設けたものである。
【０００８】
これによって、吸入パネルオープンの際に吸入パネルオープン信号がオンになるのが遅れ、空気清浄機異常信号の方が先に検知される場合においても、異常信号を検知し一定時間経過後に吸入パネルオープン信号の状態を確認した時に、吸入パネルオープン信号が制御部に入力されていればパネルオープンと判断することにより、制御部は吸入パネルオープン信号を正しく検知することができる。
【発明の効果】
【０００９】
本発明の空気調和機は、吸入パネルの開閉を空気清浄機の異常と判断せず正確に検知し、吸入パネルを閉じれば空気清浄機が自動的に再運転することができる。
【発明を実施するための最良の形態】
【００１０】
第１の発明は、高圧電源ユニットの電源電圧低下により異常信号を検知した時から一定時間経過後に、吸入パネルオープン信号の状態を確認する機能を設けたものであり、吸入パネルオープンの際に吸入パネルオープン信号より空気清浄機異常信号の方が先に検知される場合においても、異常信号を検知してから一定時間経過後に吸入パネルオープン信号の状態を確認した時に、吸入パネルオープン信号が制御部に入力されていれば、パネルオープンと判断することにより、制御部は吸入パネルオープン信号を正しく検知でき、吸入パネルの開閉を空気清浄機異常という誤検知ではなく正確に判断し、吸入パネルを閉じれば空気清浄機が自動的に再運転することができる。
【００１１】
第２の発明は、特に、第１の発明における待機させる時間を、高圧電源端子が異常検出した時の空気清浄機の電源電圧と運転停止時の負荷の関係から算出される、電源電圧の放電時間のバラツキを含めた最大値に設定することにより、空気清浄機の異常、あるいは吸入パネルオープンを識別できるまでの時間を短縮させることができる。
【００１２】
第３の発明は、特に、第１または第２の発明における一定時間経過させる処理を、一定時間経過する間は空清清浄機運転信号をオフにして空気清浄機を停止状態とさせることにより、吸入パネルオープンではなく実際に空気清浄機に異常が生じ空気清浄異常信号がオンとなる場合においても、異常を検知した瞬間から空気清浄機運転信号がオフとなることにより空気清浄機を保護することができる。
【００１３】
第４の発明は、特に、第１〜３いずれか１つの発明において一定時間経過させる処理を、一定時間待機後に吸入パネルオープン信号の出力を確認すると同時に空気清浄機異常信号の出力を確認し、吸入パネルオープン信号と空気清浄機異常信号がオフの時には吸入パネルは閉じていると判断することにより、吸入パネルが閉じている状態から開き、空気清浄機異常信号がオンとなり、吸入パネルオープン信号がオンとなる前に、吸入パネルが閉じて空気清浄機に高圧電源電圧が供給され、吸入パネルオープン信号がオフのままとなるという動作が生じても、吸入パネルが閉じていることを正しく検知することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の構成ブロック図である。図２は、吸入パネルを開いた時のタイムチャートである。
【００１６】
図1において、空気清浄機１の高圧電源ユニット２は、電子制御装置３内の電源部４より吸入パネルの開閉でオン／オフするドアスイッチ５を経由して電源１０１が供給される。供給された電源１０１は、高圧電源ユニット２を動作させるだけでなく、電源供給信号６として、電子制御装置３のパネルオープン検出素子７を介して、吸入パネルオープン信号８として制御部９に入力されている。吸入パネルが閉じて、制御部９に吸入パネルオープン信号８がオフしている状態で、制御部９から空気清浄機運転信号１３のオン信号を送ると高圧電源ユニット２が動作し、集塵部１３で集塵を行う。
【００１７】
以上のように構成された空気調和機について、以下その動作、作用を説明する。
空気清浄機１が動作状態において、吸入パネルオープン１０２となり、ドアスイッチ５がオフすると、高圧電源ユニット２内の電源電圧１０１が急激に低下する。高圧電源ユニット２からの電源供給信号６は、電圧１０３になるとパネルオープン検出素子７が吸入パネルオープンと判断し、吸入パネルオープン信号８のオン信号が制御部９に入力される。吸入パネルオープン信号８のオン信号が制御部９に入力されると、空気清浄機運転信号１０をオフにして、高圧電源ユニット２が停止し、空気清浄機１の運転が停止する。なお、吸入パネル信号８のオフ信号が制御部９に入力されると、空気清浄機運転信号１０をオンにして、空気清浄機１の運転を再開させる。
【００１８】
また、電源電圧１０１が低下した際に高圧電源ユニット２は、空気清浄機異常検出電圧１０４より低くなると、保護機能により、空気清浄機異常信号１２を出力し、制御部８は空気清浄機１の運転を停止させる。空気清浄機異常検出電圧１０４より吸入パネルオープン検出電圧１０３の方が高い場合には、制御部には空気清浄機異常信号１２の方が先に検出される。
【００１９】
この時、制御部９は一定時間経過処理を行い、一定時間経過後に空気清浄異常信号と吸入パネルオープン信号を確認し、空気清浄異常信号と吸入パネルオープン信号がオンならば制御部は吸入パネルオープンとして認識し、空気清浄異常信号と吸入パネルオープン信号がオフならば吸入パネルは閉じていると認識し、空気清浄異常信号はオンで吸入パネルオープン信号がオフならば空気清浄機が異常状態として認識する。前述の一定時間は、制御部９が空気清浄機異常信号１２のオフ信号を検出した時の空気清浄機１の電源電圧と運転停止時の負荷の関係から算出される電源電圧の放電時間のバラツキを含めた最大値と設定し、一定時間経過時は空気清浄機運転信号１０をオフにする。
【００２０】
以上のように、本実施の形態においては、空気清浄異常信号１２を検出時に、制御部９は一定時間経過処理を行い、処理終了後に吸入パネルオープン信号を確認する機能を設定したことにより、特に、吸入パネルオープン検出電圧１０３より空気清浄機異常検出電圧１０４の方が高い場合においても、吸入パネルオープン信号の正確な検知が可能となり、吸入パネルが開きドアスイッチ５がオフとなると空気清浄機１は停止する。また、吸入パネルが閉じられ、ドアスイッチ５がオンすると吸入パネルオープン信号８がオフするため、空気清浄機１は再運転される。さらに、空気清浄機１の高圧電源ユニット２が異常となった時は、吸入パネルの開閉に関わらず、制御部９が空気清浄機異常信号１２のオフ信号を検出した瞬間から空気清浄機１の運転を停止する。
【産業上の利用可能性】
【００２１】
以上のように、本発明にかかる空気調和機は、ドアスイッチにより高圧電源などをオン／オフしているため、スイッチにより安全装置が働く機器の用途にも適用できる。
【図面の簡単な説明】
【００２２】
【図１】本発明の実施の形態１における空気調和機の構成ブロック図
【図２】本発明の実施の形態１における空気調和機のタイムチャート
【図３】従来の空気調和機の構成ブロック図
【図４】従来の空気調和機のタイムチャート
【符号の説明】
【００２３】
１  空気清浄機
２  高圧電源ユニット
３  電子制御装置
４  電源部
５  ドアスイッチ
６  電源供給信号
７  パネルオープン検出素子
８  吸入パネルオープン信号
９  制御部
１０  空気清浄機運転信号
１１  空清電源電圧異常検出素子
１２  空気清浄機異常信号
１３  集塵部
１０１  高圧電源電圧
１０２  吸入パネルオープン
１０３  吸入パネルオープン検出電圧
１０４  空気清浄機異常検出電圧
【図１】
2005299966.tif 000003
【図２】
2005299966.tif 000004
【図３】
2005299966.tif 000005
【図４】
2005299966.tif 000006